(57)【要約】【課題】サイズが異なる電動モータ２０に代替する場面で、回転ポンプ１０とカップリング３０の両方を覆うカバー４０が設けられた場合に適切に配設されて対応できるスペーサ５０を備える回転ポンプ装置を提供すること。【解決手段】回転ポンプ１０と電動モータ２０とが、ベース１５上にネジ締めによって固定され、ベース真上にネジ締めによって固定されて回転ポンプ１０及びカップリング３０を覆うカバー４０と、電動モータ２０の回転軸に対して回転ポンプの回転軸の高さを合わせるべくベース１５と回転ポンプ１０との間に介在すると共に回転ポンプ１０の両側の部分に配設された一対のスペーサ５０、５０とを備え、各スペーサ５０が、回転ポンプ１０がベース１５に固定される部分と、カバー４０がベース１５に固定される部分とでネジ締めによって共に固定されている。【選択図】図１
2010071164.tif 000002
【特許請求の範囲】
【請求項１】
回転ポンプと電動モータとが、ベース上にネジ締めによって固定され、カップリングによって直列に連結されて駆動される回転ポンプ装置であって、
前記ベース上にネジ締めによって固定されて前記回転ポンプ及び前記カップリングを覆うカバーと、前記電動モータの回転軸に対して前記回転ポンプの回転軸の高さを合わせるべく前記ベースと前記回転ポンプとの間に介在すると共に該回転ポンプの両側の部分に配設された一対のスペーサとを備え、
該各スペーサが、前記回転ポンプが前記ベースに固定される部分と、前記カバーが前記ベースに固定される部分とで前記ネジ締めによって共に固定されていることを特徴とする回転ポンプ装置。
【請求項２】
前記カップリングに同軸に取り付けられた送風用の羽根車を備え、
前記スペーサが、少なくとも前記ベース上の前記回転ポンプの取付位置から前記羽根車が装着された位置よりも前記電動モータの側に亘って前記ベースと前記カバーとの間を埋めるように形成されていることを特徴とする請求項１記載の回転ポンプ装置。
【請求項３】
前記スペーサが、前記ベースとの接触面積を大きくすべく実質的に平坦な金属材によって設けられていることを特徴とする請求項１又は２記載の回転ポンプ装置。
【請求項４】
前記スペーサの表裏面に凹部が形成され、該凹部内に、該スペーサが前記ベースと前記回転ポンプの間に固定された際に圧縮された状態で振動源である該回転ポンプに接触するように振動吸収用材が設けられていることを特徴とする請求項１〜３のいずれかに記載の回転ポンプ装置。
【請求項５】
前記スペーサが、表裏について対称形状に設けられており、表の形態と裏返した形態とによって前記一対のスペーサとして用いられていることを特徴とする請求項１〜４のいずれかに記載の回転ポンプ装置。
【請求項６】
前記スペーサの一部に、前記ベースに設けられた位置決め用孔に嵌る位置決め用突起が設けられていることを特徴とする請求項１〜５のいずれかに記載の回転ポンプ装置。
【請求項７】
請求項１〜６のいずれかに記載の回転ポンプ装置において用いられている前記スペーサであることを特徴とする回転ポンプ装置に用いられるスペーサ。
【発明の詳細な説明】
【技術分野】
【０００１】
本発明は、真空ポンプやブロア等として用いられる回転ポンプと、その駆動手段である電動モータ等を構成要素とする回転ポンプ装置に関する。
【背景技術】
【０００２】
従来から、回転ポンプ装置としては、回転ポンプと電動モータとが、ベース上にネジ締めによって固定され、カップリングによって直列に連結されて駆動されるものが知られている（特許文献１参照）。なお、このような従来の回転ポンプ装置では、安全確保のためにカップリングの部分がカバーで覆われているが、回転ポンプの部分はカバーで覆われていないものが一般的であった。
【特許文献１】特開平０６−８８５７１号公報（第１頁、第１図）
【０００３】
この回転ポンプ装置では、一般的に、電動モータのサイズに合わせて回転ポンプのサイズが設定されている。このため、電動モータの回転軸に対して回転ポンプの回転軸の高さを合わせるように設計されている。このような場合、図８に示すように、回転ポンプについて高さ調整をしてベース１５上に固定する必要はない。なお、回転ポンプ装置は主に工場内で使用されるもので、電動モータには、一般的に構造が簡単で効率のよい三相モータ２２が使用される（図８参照）。
【０００４】
しかし、この回転ポンプ装置において、三相電源がなくて単相電源を使用せざるを得ないような場合、通常使用される三相モータに換えて単相モータがベース上に装着される。この場合、単相モータは三相モータに比較して一般的にサイズが大きく、その単相モータと回転ポンプの回転軸の高さを合わせる必要がある。つまり、回転ポンプが固定されるベース上の部分にかさ上げをする必要がある。
【０００５】
これに対して従来は、回転ポンプとベースの上面との間に座金を大きくした形態のスペーサを介在させて、その回転ポンプの回転軸を単相モータの回転軸の高さ位置に一致させるように調整していた。なお、このような従来のスペーサが使用されているのは、回転ポンプを覆うカバーが設けられていない場合である。
なお、スペーサが使用される場面としては、以上のような三相モータと単相モータの関係による場合に限らず、例えば同じ種類の電動モータであってサイズの異なるものに代替する場合がある。
【発明の開示】
【発明が解決しようとする課題】
【０００６】
回転ポンプ装置に関して解決しようとする問題点は、サイズが異なる電動モータに代替する場面に用いられるスペーサであって、回転ポンプとカップリングの両方を覆うカバーが設けられた場合に適切に配設されて対応できるスペーサが検討されていない点にある。
そこで本発明の目的は、サイズが異なる電動モータに代替する場面で、回転ポンプとカップリングの両方を覆うカバーが設けられた場合に適切に配設されて対応できるスペーサを備える回転ポンプ装置を提供することにある。
【課題を解決するための手段】
【０００７】
本発明は、上記目的を達成するために次の構成を備える。
本発明にかかる回転ポンプ装置の一形態によれば、回転ポンプと電動モータとが、ベース上にネジ締めによって固定され、カップリングによって直列に連結されて駆動される回転ポンプ装置であって、前記ベース上にネジ締めによって固定されて前記回転ポンプ及び前記カップリングを覆うカバーと、前記電動モータの回転軸に対して前記回転ポンプの回転軸の高さを合わせるべく前記ベースと前記回転ポンプとの間に介在すると共に該回転ポンプの両側の部分に配設された一対のスペーサとを備え、該各スペーサが、前記回転ポンプが前記ベースに固定される部分と、前記カバーが前記ベースに固定される部分とで前記ネジ締めによって共に固定されていることを特徴とする。
【０００８】
また、本発明にかかる回転ポンプ装置の一形態によれば、前記カップリングに同軸に取り付けられた送風用の羽根車を備え、前記スペーサが、少なくとも前記ベース上の前記回転ポンプの取付位置から前記羽根車が装着された位置よりも前記電動モータの側に亘って前記ベースと前記カバーとの間を埋めるように形成されていることを特徴とすることができる。
【０００９】
また、本発明にかかる回転ポンプ装置の一形態によれば、前記スペーサが、前記ベースとの接触面積を大きくすべく実質的に平坦な金属材によって設けられていることを特徴とすることができる。
【００１０】
また、本発明にかかる回転ポンプ装置の一形態によれば、前記スペーサの表裏面に凹部が形成され、該凹部内に、該スペーサが前記ベースと前記回転ポンプの間に固定された際に圧縮された状態で振動源である該回転ポンプに接触するように振動吸収用材が設けられていることを特徴とすることができる。
【００１１】
また、本発明にかかる回転ポンプ装置の一形態によれば、前記スペーサが、表裏について対称形状に設けられており、表の形態と裏返した形態とによって前記一対のスペーサとして用いられていることを特徴とすることができる。
また、本発明にかかる回転ポンプ装置の一形態によれば、前記スペーサの一部に、前記ベースに設けられた位置決め用孔に嵌る位置決め用突起が設けられていることを特徴とすることができる。
また、本発明にかかる回転ポンプ装置に用いられるスペーサによれば、前記の回転ポンプ装置において用いられている前記スペーサであることを特徴とする。
【発明の効果】
【００１２】
本発明にかかる回転ポンプ装置によれば、サイズが異なる電動モータに代替する場面で、回転ポンプとカップリングの両方を覆うカバーが設けられた場合に適切に配設されて対応できるスペーサを備えるという特別有利な効果を奏する。
【発明を実施するための最良の形態】
【００１３】
以下、本発明にかかる回転ポンプ装置について最良の形態例を添付図面（図１〜７）に基づいて詳細に説明する。
図１は、本発明の回転ポンプ装置にかかる形態例を示す一部断面を含む正面図である。図２は、図１の回転ポンプ装置の外観を示す正面図である。図３は、図１の回転ポンプ装置の右側面図である。図４は、図１の回転ポンプ装置における冷却空気の流れを示す一部断面を含む正面図である。また、図５は本発明にかかる回転ポンプ装置に用いられるスペーサの形態例を示す斜視図である。図６は図５のスペーサを裏返した状態を示す斜視図である。また、図７は本発明にかかる回転ポンプ装置に用いられるスペーサの他の形態例を示す斜視図である。
【００１４】
本形態例の回転ポンプ装置は、各図に示すように、回転ポンプ１０と電動モータ２０とがベース１５上にネジ締めによって固定され、両者の回転軸１１、２１同士がカップリング３０によって直列に連結されて駆動されるものである。回転ポンプ１０は、その基部に設けられたボルト孔１２とベース１５に設けられたボルト孔１６に回転ポンプ固定用のボルト１３が通されてネジ締めによって固定されている。
【００１５】
この回転ポンプ１０は、例えばベーンポンプであり、空気等の気体を吸入して排出する気体用のポンプである。また、この回転ポンプは、例えば印刷工場で使用される空気圧装置の真空減圧空気又は高圧空気の空気圧源である真空ポンプやブロア等として用いられる。なお、６０は吸気用のフィルタケースであり、回転ポンプ１０の吸気口に接続されている。また、７０は排気用のマフラーケースであり、回転ポンプ１０の排気口に接続されている。
【００１６】
図１に示すように、４０はカバーであり、ベース１５上にネジ締めによって固定されて回転ポンプ１０及びカップリング３０を覆うように設けられている。
本形態例のカバー４０は、軸の長手方向に二分割できる形態に樹脂成形によって形成されており、カップリング３０を覆っている一方のカバー部４０ａがベース１５上に固定され、その一方のカバー部４０ａに回転ポンプ１０を覆っている他方のカバー部４０ｂが嵌っている。
【００１７】
一方のカバー部４０ａの電動モータ２０側の端部に相当する部分であってその両側に、ボルト孔４１が設けられている。この二ヶ所のボルト孔４１のそれぞれにボルト４２を通すことによって、一方のカバー部４０がベース１５上へネジ締めによって固定される構造になっている。
【００１８】
また、一方のカバー部４０ａの電動モータ２０側の上部には、冷却用の外気が吸入できるように、複数のスリット状の吸入用開口４５が設けられている。そして、他方のカバー部４０ｂの端面には、図３に示すように放射状に複数の排出用開口４６が設けられている。
なお、一方のカバー部４０ａと他方のカバー部４０ｂの一方側の部分は、下面が開放されており、ベース１５がその下面を覆う補完部分となって、カップリング３０や回転ポンプの全周を覆う形態になっている。これに対して、他方のカバー部４０ｂの他方側の部分は、ベース１５から外側へはみ出ており、下面も覆う形態になっている。
【００１９】
５０はスペーサであり、電動モータ２０の回転軸２１に対して回転ポンプ１０の回転軸１１の高さを合わせるべく、ベース１５と回転ポンプ１０との間に介在すると共にその回転ポンプ１０の両側の部分にそれぞれ配設されている。
本形態例のスペーサ５０によれば、標準仕様の三相の電動モータ２２（図８参照）に換えて、図１〜４に示すように単相の電動モータ２０を好適に固定できる。なお、本形態例のスペーサ５０の形状は、図５〜７に示すように電動モータ２０と回転ポンプ１０の連結方向に長い形態になっている。
【００２０】
また、スペーサ５０は、回転ポンプ１０がベース１５に固定される部分と、カバー４０がベース１５に固定される部分とで、回転ポンプ１０を固定するネジとカバー４０を固定するネジとによるネジ締めによって共に固定されている。
さらに詳細には図１に示すように、スペーサ５０には、回転ポンプ１０を固定するためのボルト１３が挿通される第１のボルト孔５１と、カバー４０を固定するためのボルト４２が挿通される第２のボルト孔５２とが設けられている。これらの第１のボルト孔５１及び第２のボルト孔５２を利用してネジ締めによって、回転ポンプ１０やカバー４０と共にスペーサ５０を好適に固定することができる。
【００２１】
このようにスペーサ５０に第１のボルト孔５１及び第２のボルト孔５２が形成されていることで、スペーサ５０が回転ポンプ１０やカバー４０とベース１５との間に挟まれた状態で、回転ポンプ固定用のボルト１３とカバー固定用のボルト４２とを共用して好適に固定することができる。
これによれば、スペーサ５０を用いない場合の既存のネジ締め構造をそのまま流用して、回転ポンプ１０の高さ調整をした状態でベース１５へ適切に固定できる。つまり、既存の固定構造と互換性のある構成であり、製造コストを低減できる。
【００２２】
また、スペーサ５０を第１のボルト孔５１及び第２のボルト孔５２を利用して２点で固定するため、そのスペーサ５０が回転等してずれることを防止できる。従って、回転ポンプ１０を確実に固定できると共に、その固定状態を適切に維持できる。
【００２３】
３５は送風用の羽根車であり、カップリング３０に同軸に取り付けられている。カップリング３０を介して回転軸１１に固定された状態となっており、軸心を中心に回転して空気を送り、回転ポンプ１０を冷却する。
本形態例においては、図４の矢印に示すようにカバー４０に設けられたスリット状の吸入開口４５から吸入された空気が、回転ポンプ１０へ向かって流れるように送風用の羽根車３５が設けられている。この送風用の羽根車３５は、プロペラ状に設けられており、軸流ファンとして機能している。
【００２４】
なお、この送風用の羽根車３５や冷却空気の流れ方向はこれに限定されず、回転ポンプ装置の使用条件に応じて適宜選択的に設定すればよい。例えば、遠心ファンの羽根車をカップリング３０に固定して冷却空気の流れが反対になるように構成しても回転ポンプ１０を冷却することできる。
【００２５】
また、本形態例では、スペーサ５０が、少なくともベース１５上の回転ポンプ１０の取付位置から羽根車３５が装着された位置よりも電動モータ２０の側に亘ってベース１５とカバー４０との間を埋めて塞ぐように長細く形成されている。
これによれば、送風用の羽根車３５によって送風された冷却用の空気が、両脇部から漏れることを阻止でき、回転ポンプ１０を効率よく冷却できる。特に羽根車３５から回転ポンプ１０の間のカバー４０とベース１５に覆われた部分は、羽根車３５の送風作用によって陽圧になって、回転ポンプ１０の周囲へ冷却空気を送るための送風の上流側のスペースとなっている。つまり、この送風の上流側のスペースは冷却空気が外に漏れ易い空間となっているが、スペーサ５０によって隙間が好適に塞がれるため、冷却空気の漏れを防止できる。従って、回転ポンプ装置の冷却性能を好適に向上できる。
【００２６】
また、図５及び６に示すように、スペーサ５０を、ベース１５との接触面積を大きくすべく実質的に平坦な金属材によって設けることができる。金属材としては、熱伝導性の高いアルミニウムを用いることができる。
これによれば、圧縮空気を発生することで加熱される回転ポンプ１０から熱を効率よく逃すように、伝導伝熱効率を高めことができる。従って、回転ポンプ装置の冷却性能を好適に向上できる。
【００２７】
さらに、図７に示すように、スペーサ５０の表裏面に凹部５３を形成し、その凹部５３内に、スペーサ５０がベース１５と回転ポンプ１０の間に固定された際に振動源である回転ポンプ１０に圧縮された状態で接触するように振動吸収用材５４を設けることができる。なお、振動吸収用材５４とは、例えばゴム材であり、ゴムコートによって固着できる。
これによれば、振動を吸収できると共に騒音を低減することができる。従って、回転ポンプ装置の防振性能及び防音性能を向上できる。
【００２８】
また、図５及び６に示すように本形態例のスペーサ５０にあっては、表裏について対称形状に設けられており、表の形態と裏返した形態とによって一対のスペーサ５０、５０として用いられている（図３参照）。
つまり、一つの形態のスペーサ５０を両側のスペーサ５０、５０として共用できる。従って、製造コストを低減でき、部品管理を容易化することができる。
【００２９】
また、スペーサ５０の一部に、ベース１５に設けられた位置決め用孔１８に嵌る位置決め用突起５５が設けられている。
これによれば、スペーサ５０のベース１５に対する位置決めを適切に行うことができる。従って、組立て作業を正確且つ容易に行うことができるという利点がある。
【００３０】
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００３１】
【図１】本発明にかかる回転ポンプ装置の形態例を示す正面断面図である。
【図２】図１の回転ポンプ装置の外観を示す正面図である。
【図３】図１の回転ポンプ装置の右側面図である。
【図４】図１の回転ポンプ装置における冷却空気の流れを示す正面断面図である。
【図５】本発明にかかる回転ポンプ装置に用いられるスペーサの形態例を示す斜視図である。
【図６】図５のスペーサを裏返した状態を示す斜視図である。
【図７】本発明にかかる回転ポンプ装置に用いられるスペーサの他の形態例を示す斜視図である。
【図８】回転ポンプ装置のスペーサが配設されていない形態例を示す正面図である。
【符号の説明】
【００３２】
１０  回転ポンプ
１１  回転軸
１２  本体
１５  ベース
１８  位置決め用孔
２０  電動モータ
２１  回転軸
３０  カップリング
３５  羽根車
４０  カバー
５０  スペーサ
５３  凹部
５４  振動吸収材
５５  位置決め用突起
【図１】
2010071164.tif 000003
【図２】
2010071164.tif 000004
【図３】
2010071164.tif 000005
【図４】
2010071164.tif 000006
【図５】
2010071164.tif 000007
【図６】
2010071164.tif 000008
【図７】
2010071164.tif 000009
【図８】
2010071164.tif 000010